(57)【要約】【課題】  接眼検知機能を禁止している遠隔操作モード中に、カメラ本体を操作し撮影を行う場面で接眼検知による付加機能を得るためには、遠隔操作モードを終了するメニュー操作をしなければならず、撮影操作の俊敏性が良くない。【解決手段】  接眼検知機能を禁止している遠隔操作モード中に、ＳＷ１を押下されたら接眼検知禁止を解除し、接眼検知結果に応じた機能を付加した撮影を実行できるカメラを提供する。【選択図】  図１
2009088887.tif 000002
【特許請求の範囲】
【請求項１】
撮像装置の本体に設けられ、撮影動作を行わせるために操作される１段階押し込みＳＷ１と２段階押し込みＳＷ２からなるレリーズ部材と、被写体を観察するためのファインダと、使用者が前記ファインダを覗いていることを検知する接眼検知手段と、前記撮像装置を使用者がＳＷ１を押下することによる撮影準備動作を行い、前記接眼検知手段の検知結果によるバックライトオフもしくは撮影準備の機能を付加し、前記レリーズ部材のＳＷ２を押下することにより撮影動作を行う第１の操作モードと、ワイヤレスリモコンの部材で遠隔操作できるよう前記撮像装置を設定する遠隔操作モード設定手段と、前記遠隔操作モード設定手段により設定され、前記撮像装置をワイヤレスリモコンの部材により遠隔操作する第２の操作モードを有し、前記第２の操作モード実行中は前記接眼検知手段を禁止し省電効果を得る前記撮像装置において、前記第２の操作モード実行中に前記レリーズ部材のＳＷ１をオンすることで前記検知手段禁止を解除し、前記接眼検知手段の検知結果に応じた機能付加を得た前記第１の操作モードを実行できることを特徴とする撮像装置。
【発明の詳細な説明】
【技術分野】
【０００１】
本発明は、使用者の接眼を検知する接眼検知手段と、遠隔操作手段とを備えた撮像装置に関するものである。
【背景技術】
【０００２】
近年のデジタルカメラは、接眼検知手段による検知結果に応じて、ＴＦＴ表示オフや、撮影準備動作を行うなどの機能を付加させているが、特許文献１のように消費電力削減のため、接眼検知を必要としない遠隔操作モード時には接眼検知機能を禁止させている。
【特許文献１】特開平９−０４３６７９号公報
【発明の開示】
【発明が解決しようとする課題】
【０００３】
しかしながら特許文献１においては、遠隔操作モード時に常時接眼検知機能を禁止しているため、遠隔操作モード中にカメラ本体を操作し撮影を行う場面で接眼検知による付加機能を得ることができなかった。接眼検知による付加機能を得るためには、モードダイヤル操作及びメニューボタン操作による遠隔操作モード終了作業をしなければならず、俊敏性を欠くなどの問題点があった。
【課題を解決するための手段】
【０００４】
本発明は、撮影者がファインダを覗いていることを検知する接眼検知機能を有し、その接眼検知結果に応じて撮影準備もしくはバックライトオフなどの機能を付加し、レリーズ部材のＳＷ２を押下することにより撮影動作を行う第１の操作モードを有するカメラにおいて、ワイヤレスリモコンなどの部材により遠隔操作できるようカメラを設定する遠隔操作モード設定手段により設定され、カメラをワイヤレスリモコンなどの部材により遠隔操作する第２の操作モード中にカメラ本体を操作し撮影を行う場面では、レリーズ部材のＳＷ１をオンすることで、接眼検知手段の禁止状態を解除し、接眼検知結果に応じた機能付加を得た第１の操作モード実行できることを特徴とする。
【発明の効果】
【０００５】
本発明によれば、接眼検知機能を禁止している遠隔操作モード中に、カメラ本体を操作し撮影する場面において、ＳＷ１をオンすることで接眼検知機能禁止を解除し、接眼検知結果に応じた機能を付加した本体操作撮影を行うことができる。また、モードダイヤル及びメニューボタン操作による遠隔撮影モード終了動作をせず接眼検知手段による機能付加を得た撮影を行うことができ、従来より俊敏性が改善される。
【発明を実施するための最良の形態】
【０００６】
次に、本発明の詳細を実施例の記述に従って説明する。
【実施例１】
【０００７】
以下、本発明の実施例を図１、図２を用いて説明する。
【０００８】
図１は本発明の一実施形態における要部を概念的に例示することを主眼としている構成を示した図である。図１において、１０１はシステム制御部であり、本実施例のほかに一般的なデジタルカメラの制御動作を行うマイクロコンピューターである。
【０００９】
１０２は被写体像（光学像）を観察するためのファインダ接眼部である。１０３は撮影者がファインダ接眼部１０２を覗いているか否かを検出するためのセンサ（検出手段）であり、ＬＥＤ等の発光素子（発光部）とＳＰＣ等の受光素子（受光部）から構成されており、撮影者がファインダ接眼部１０２を覗いている時に、発光素子から放射された光が撮影者の目または顔等で反射し、所定の範囲の反射光レベルで受光素子により検知されるように構成されている。
【００１０】
このように、撮影者の目等への投光および反射光の受光によって、撮影者がファインダ接眼部１０２を覗いているか否かを検出することで、簡単な構成で該検出動作を行うことができる。なお、視線入力によってファインダ視野内の焦点検出領域等を変更できる視線検知機能を備えたカメラにおいては、この既存の構成を用いて撮影者がファインダ接眼部１０２を覗いているか否かを検出することができる。
【００１１】
１０４は接眼検知回路であり、前述のように撮影者がファインダ接眼部１０２を覗いているか否かを検出するためのセンサの駆動を制御する。すなわち、センサ１０３を構成するＬＥＤ発光素子の発光制御や、ＳＰＣの受光素子の受光レベルの結果をシステム制御部１０１に入力する。システム制御部１０１は、接眼検知回路１０４からの出力に基づいて、撮影者がファインダ接眼部１０２を覗いているか否かを判別する。
【００１２】
１０５はシャッタースイッチ（ＳＷ１）であり、図示しないシャッターボタンの第一段階の押し込みでオンとなり、ＡＦ処理、ＡＥ処理、ＡＷＢ処理等の動作開始を指示する。１０６はシャッタースイッチ（ＳＷ２）であり、図示しないシャッターボタンの第二段階の押し込みでシャッターレリーズ動作がＯＮとなり、シャッター走行処理、撮像素子から読み出した信号をＡ／Ｄ変換器、メモリ制御回路を介してメモリに画像データを書き込む露光処理、画像の蓄積処理、画像処理回路やメモリ制御回路での演算を用いた現像処理、メモリから画像データを読み出し、圧縮・伸長回路で圧縮を行い、記録媒体に画像データを書き込む記録処理という一連の処理の動作開始を指示する。
【００１３】
１０７は、カメラ本体を右手でグリップした時に、比較的親指で操作しやすいカメラ上部背面寄りの位置に配置されたモードダイアルであり、センサ１０３の検出状態、すなわち、撮影者がファインダ接眼部１０２を覗いているか否かに応じて、撮影モードの設定や、露出補正量の設定すなわち露出量を決定することができる。
【００１４】
１０８は、液晶表示器であり、この表示器には各種情報及び撮影画像の再生などが表示される。ファインダ接眼部１０２から目または顔を離した状態においてモードダイヤル１０７を回転させることで、撮影モードを切り換えることができる。
【００１５】
１０９は、メニュー操作ボタンであり、このメニューボタン１０９が押下されることにより、各種のメニューが液晶表示器１０８等に表示される。１１０はシャッタースイッチのＩ／Ｆである。
【００１６】
ワイヤレスリモコン装置２０１は、カメラから離隔した場所より無線によって操作可能な手段として機能し、シャッタースイッチ２０２を備えている。ユーザーがシャッタースイッチ２０２を押下すると、ワイヤレスリモコン装置２０１から撮影指示を示す信号が信号受信部１１１に向けて発せられる。このとき遠隔操作モードにあれば、信号受信部１１１がこの信号を受信することによって、カメラが撮影動作を行う。つまり、ここでは、ワイヤレスリモコン装置２０１が、カメラ本体から離隔した場所より、カメラ本体を操作可能な手段として機能する。
【００１７】
システム制御部１０１は、ワイヤレスリモコン装置２０１から発せられる信号に応じた撮影動作を実施する、遠隔操作モードに設定することを制御する。ユーザーはメニューボタン１０９を押下してメニューを液晶表示器８等に表示させ、モードダイヤル１０７及びメニューボタン１０９を種々操作することによって、遠隔操作モードに設定することができる。そして、遠隔操作モードに設定された場合、カメラ本体を第２の操作モードへ移行し、接眼検知機能を禁止する。１１２は信号受信のＩ／Ｆである。
【００１８】
次に、本実施例のカメラにおいて、遠隔操作モード設定時の、接眼検知に関する設定を変更する際の動作について図２に示すフローチャートを用いて説明する。
【００１９】
ステップＳ３０１において、遠隔操作モードに設定されていない場合、ステップＳ３０２に進む。
【００２０】
ステップＳ３０２でＳＷ１が押下されると、ステップＳ３０３第１の操作モードへ進み、ステップＳ３０４でＳＷ２の押下を行うと、ステップＳ３０５通常撮影へと進む。
【００２１】
ステップＳ３０１において、遠隔操作モードに設定されている場合、接眼検知機能を禁止し、ステップＳ３０６第２の操作モードに進む。
【００２２】
ステップＳ３０６第２の操作モードに進んだ後、ステップＳ３０７においてＳＷ１のＯＮ−ＯＦＦ判定を行い、ＳＷ１が押下されなければ、ステップＳ３０８へ進む。ＳＷ１が押下された場合、接眼検知機能禁止を解除し、ステップＳ３０２へと進む。
【００２３】
ステップＳ３０８にてワイヤレスリモコンより発せられるコマンド信号の受信判定を行い、受信できた場合、ステップＳ３０９遠隔操作撮影に進み、受信できなかった場合、ステップＳ３０７へ戻り、ＳＷ１の判定を再度行う。第２の操作モード実行中は、ステップＳ３０７及びステップＳ３０８を繰り返し行う。
【００２４】
ステップＳ３０５、ステップＳ３０９でそれぞれ撮影動作を行った後、ステップＳ３１０撮影終了へ進み、終了する。
【００２５】
図３は状態遷移を示したブロック図である。撮影待機から第１の操作モードに進むにはＳＷ１をオンし、第２の操作モードに進むにはメニュー操作が必要である。第２の操作モード中、ＳＷ１をオンすることにより、撮影待機に状態を戻すことなく、第１の操作モードに進むことが出来る。
【００２６】
以上のことから、本発明によれば、遠隔操作モード時においては接眼検知機能を禁止し消費電力削減の効果を得るが、遠隔操作モード中にカメラ本体を操作し撮影動作を行う場面では、本体操作撮影優先機能を備え、遠隔撮影モードを終了せず接眼検知手段による機能付加を得ることが出来ることにより、操作の敏捷性が従来よりも優れたものを提供できる。
【図面の簡単な説明】
【００２７】
【図１】本発明の一実施形態における要部構成を示すブロック図。
【図２】第１、第２の操作モードの動作について示すフローチャート。
【図３】第１、第２の操作モードの状態遷移について示すブロック図。
【符号の説明】
【００２８】
１０１  システム制御部
１０３  接眼検知センサ
１０４  接眼検知回路
１０５  レリーズボタン
１０６  レリーズボタン
１０８  液晶表示器
１０９  メニューボタン
２０１  ワイヤレスリモコン
２０２  シャッタースイッチ
【図１】
2009088887.tif 000003
【図２】
2009088887.tif 000004
【図３】
2009088887.tif 000005